(57)【要約】      （修正有）【課題】撮影状況が変化した際も正しい操作指標値を視認可能なレンズ装置を提供する。【解決手段】エクステンダーユニット１０の操作レバー５を操作し、レンズ倍率を変更すると、レンズ装置１００内部において、操作レバー５と絞り指標指示環１とが連接しているため、絞り指標指示環１がレンズ装置１００に対して撮影に適した操作基準の位置まで所定量回動し、操作基準位置の変更を行う。【選択図】図２
2017219661.tif 000002
【特許請求の範囲】
【請求項１】
撮影条件を設定するために操作される、
操作指標値または目盛りが表示された操作部材と、 
前記操作指標値または目盛りの現在の状態を指し示す操作基準を表示する操作基準表示部材と、
撮影状況の変化を検知する変化検知手段を有するレンズ装置において、
前記変化検知手段により検知した撮影状況の変化に連動して、 
前記操作基準の位置を変更する操作基準位置変更手段を有することを特徴とするレンズ装置。
【請求項２】
光軸上のガラス枚数を変化させる切替機構を有し、
前記変化検知手段は、
前記切替機構の切り替わりを検知する切替検知手段であり、 
前記操作基準位置変更手段は、
前記切替検知手段による情報を元に動作することを特徴とする請求項１に記載のレンズ装置。
【請求項３】
前記変化検知手段は、
前記撮影状況の温度変化を検知する温度変化検知手段であり、
前記操作基準位置変更手段は、 
前記温度変化検知手段による情報を元に動作することを特徴とする請求項１に記載のレンズ装置。
【請求項４】
前記操作基準位置変更手段は、
前記操作基準表示部材と、前記切替機構を接続し、
前記切替機構を駆動するための操作によって 
前記操作基準表示部材が前記切替機構と連動して駆動することを特徴とする請求項１又は請求項２に記載のレンズ装置。
【請求項５】
前記操作基準表示部材を駆動するための駆動手段と、
前記駆動手段を制御するための駆動手段制御部を有し、 
前記操作基準位置変更手段は、
前記駆動手段制御部が、前記変化検知手段による情報を元に、
前記駆動手段を制御し、前記操作基準表示部材を駆動することを特徴とする請求項１乃至請求項３の何れか一項に記載のレンズ装置。
【請求項６】
前記操作基準表示部材は、
前記操作基準を表示する液晶画面であり、
前記液晶画面の表示を制御する液晶制御部を有し、 
前記操作基準位置変更手段は、
前記液晶制御部が、前記変化検知手段による情報を元に、
前記液晶画面の表示を変化させることにより、 
前記操作基準の位置の変更が、前記液晶画面上の表示の変更で行われることを特徴とする請求項１乃至請求項３の何れか一項に記載のレンズ装置。
【請求項７】
前記操作指標値または目盛りが前記レンズ装置の光量を示す指標であることを特徴とする請求項１乃至請求項６の何れか一項に記載のレンズ装置。
【請求項８】
前記操作指標値または目盛りが前記レンズ装置の焦点距離を示す指標であることを特徴とする請求項１乃至請求項６の何れか一項に記載のレンズ装置。
【請求項９】
前記操作指値または目盛りが前記レンズ装置の合焦距離を示す指標であることを特徴とする請求項１乃至請求項６の何れか一項に記載のレンズ装置。
【発明の詳細な説明】
【技術分野】
【０００１】
本発明は、撮影用レンズ装置に関し、撮影条件を設定するための操作指標の状態を指し示す操作基準に関する。
【背景技術】
【０００２】
従来より、撮影用レンズ装置において、レンズ装置に対して回動可能に取り付けられ、フォーカス、ズーム、絞り等の撮影条件を任意に操作可能にする操作部材を備えたレンズ装置が知られている（特許文献１、２）。このようなレンズ装置では、操作部材に操作指標値または目盛りといった操作指標を表示し、その操作指標近傍に、操作指標の現在の状態を指し示し、視認可能とする操作基準を表示する構造が一般的である。
【先行技術文献】
【特許文献】
【０００３】
【特許文献１】特開平９−２４３８９４号公報
【特許文献２】特開昭５６−１２５７１２号公報
【発明の概要】
【発明が解決しようとする課題】
【０００４】
しかしながら、上記レンズ装置操作部の操作指標は、エクステンダー切替前、常温状態といった通常の撮影状況において撮影を行った場合の操作指標を表示していることが一般的である。そのため、エクステンダー切替時、温度変化時など、撮影状況が変化した際には、変化に対応した実際の撮影状況を視認することができない。
【０００５】
特許文献１では、撮像アスペクト比の変更に伴って、撮影基準位置表示部の位置を変更可能な構造を有している。
【０００６】
しかし、特許文献１の構造では、操作基準位置表示部の位置変化が、撮影状況の変化に連動しない。そのため、撮像アスペクト比が変化する度に、撮影者が撮影基準位置表示部を、その撮像アスペクト比に対応した位置に移動させる操作が必要であり、誤操作の原因となるといった課題があった。
【０００７】
特許文献２では、ズーム操作による絞り値の変化に対応するため、ズーム操作環と絞り操作基準の表示された環を接続し、絞り操作基準の表示された環がズーム操作環と連動して駆動する構造となっている。特許文献２の構造では、ズーム操作を行うズームリングに連動した連続的な絞り値の変化には対応できる。
【０００８】
しかしながら、エクステンダーの切り替えや、温度の変化等の不連続な変化に対応するには、複数の指標線を設ける必要があり、視認性が低下するといった課題があった。
【課題を解決するための手段】
【０００９】
上記の課題を解決するために、本発明に係るレンズ装置は、
撮影条件を設定するために操作される、操作指標値または目盛りが表示された操作部材と、前記操作指標値または目盛りの現在の状態を指し示す操作基準を表示する操作基準表示部材と、撮影状況の変化を検知する変化検知手段を有するレンズ装置において、前記変化検知手段により検知した撮影状況の変化に連動して、前記操作基準の位置を変更する操作基準位置変更手段を有することを特徴とする。
【発明の効果】
【００１０】
本発明によれば、撮影状況が変化した際も、変化後の撮影状況に則した操作指標値を視認可能なレンズ装置を提供することができる。
【図面の簡単な説明】
【００１１】
【図１】本発明の実施例１におけるレンズ装置の全体図である。
【図２】本発明の実施例１におけるレンズ装置のエクステンダーユニット切替後の全体図である。
【図３】本発明の実施例２におけるレンズ装置の全体図である。
【図４】本発明の実施例２における温度変化前の指標指示表示液晶周辺の拡大図である。
【図５】本発明の実施例２における温度変化後の指標指示表示液晶周辺の拡大図である。
【発明を実施するための形態】
【００１２】
[実施例１]
以下に、本発明の第一の実施の形態を、図１から図２に基づいて詳細に説明する。
【００１３】
図１は本実施例におけるレンズ装置の全体図である。図１を参照して、レンズ装置の概略を説明する。
【００１４】
レンズ装置１００は、レンズマウント１１を介して、撮像素子を有する不図示のカメラ装置と結合する。レンズ装置１００には、回転操作可能なズーム指標環８、絞り指標環３を有する。レンズ装置１００は、絞り指標環３を回転操作すると、レンズ装置１００に内蔵した不図示の絞り機構部の開口面積の大きさを調整し、レンズ装置１００の絞り値を変更できる。
【００１５】
また、ズーム指標環８を回転操作すると、レンズ装置１００に内蔵した不図示のズームレンズの位置を調整し、レンズ装置１００の焦点距離を変更できる。撮影者は、絞り指標環３に刻印された絞り目盛４と絞り指標指示環１に刻印された絞り指標指示線２を合致させることで、所望の絞り値が得られる。また、ズーム指標環８に刻印されたズーム目盛９とズーム指標指示環６に刻印されたズーム指標指示線７を合致させることで、所望の焦点距離が得られる。
【００１６】
レンズ装置１００は、レンズ倍率を切り替え可能なエクステンダーユニット１０を有する。
【００１７】
図２に、エクステンダーユニット１０によるレンズ倍率切り替え後のレンズ装置１００を示す。
【００１８】
エクステンダーユニット１０は、操作レバー５の位置を、図１の位置から図２の位置のように切り替えることで、操作レバー５に連接された不図示の内蔵変倍レンズを光軸上に挿入し、レンズ倍率を切り替えられる。この時、光軸上にレンズが挿入されるため、レンズ装置１００は絞り値も変更される。
【００１９】
本実施例において操作レバー５は、レンズ装置１００内部にて、絞り指標指示環１と連接されており、操作レバー５の操作に連動して、絞り指標指示環１が図１から図２のようにレンズ装置に対して所定量回動する構造を有している。
【００２０】
図２に示すように、絞り指標指示環１がエクステンダーユニット１０の切り替えに連動して回動することにより、絞り指標指示環１に刻印された絞り指標指示線２の指し示す絞り目盛４の値も相対的に変化する事となる。このとき、絞り指標指示環１は、絞り指標指示線２の指し示す絞り目盛４の値が、エクステンダーユニット１０の切り替えによる変倍後の値と略等しくなる角度分だけ、操作レバー５の操作に連動して回動する。
【００２１】
これにより、本実施例におけるレンズ装置はエクステンダーユニット１０の切り替えを行っても、切り替えを反映した操作指標値を視認しながら撮影を行うことが可能である。
【００２２】
なお、本実施例では操作レバー５と絞り指標指示環１が連接されている構造により、エクステンダーユニット１０の切り替えに絞り指標指示線２が連動する構成としたが、本発明は、本実施例に限定されるものではない。レンズ装置１００が、エクステンダーユニット１０の切り替えを検知するセンサーと、絞り指標指示環１に接続され、絞り指標指示環１をレンズ装置に対して回動できるモーター等の駆動手段、前記センサーおよび前記駆動手段の制御部を有する構造とする。これにより、前記センサーの信号を元に前記駆動手段を駆動し、絞り指標指示環１を所定量回動させる構成としても、上記効果は達成できる。
【００２３】
また、絞り同様に、ズーム指標値９を指し示すズーム指標指示線７が刻印されたズーム指標指示環６が、操作レバー５の操作に連動して回動する構成とすることもできる。その際は、絞り同様に、ズーム指標指示線７の指し示すズーム目盛９の値が、エクステンダーユニット１０の切り替えによる変倍後の値と略等しくなる角度分だけ、ズーム指標指示環６が、操作レバー５の操作に連動して回動する構成とする。これによりズームに関しても効果を達成できる。
【００２４】
[実施例２]
以下に、本発明の第二の実施の形態を、図３から図５に基づいて詳細に説明する。
【００２５】
図３は本実施例におけるレンズ装置の全体図である。図３を参照して、レンズ装置の概略を説明する。
【００２６】
レンズ装置１０1は、レンズマウント６４を介して、撮像素子を有する不図示のカメラ装置と結合する。レンズ装置１０1には、回転操作可能なフォーカス指標環６２を有する。レンズ装置１０１は、フォーカス指標環６２を回転操作すると、レンズ装置１０１に内蔵した不図示のフォーカスレンズの位置を調整し、レンズ装置１０１の合焦距離を変更できる。撮影者は、フォーカス指標環６２に刻印されたフォーカス目盛６３とフォーカス指標指示表示液晶６０に表示されたフォーカス指標指示線６１を合致させることで、所望の合焦距離が得られる。
【００２７】
図４は温度変化前の指標指示表示液晶６０周辺の拡大図、図５は温度変化後の指標指示表示液晶６０周辺の拡大図である。
【００２８】
レンズ装置１０１はレンズ内部に、不図示の温度センサーおよび液晶制御部を有する。液晶制御部は温度センサーからの温度測定結果を元に演算を行い、図４から図５のように光軸廻りの回転方向で、撮影状況の温度状態を反映した位置に、フォーカス指標指示線６１を表示変更する。
【００２９】
また、前記指標指示表示液晶６０に表示されるフォーカス指標指示線６１は、表示する太さを変更することも可能である。太さを可変とすることにより、フォーカス指標指示線６１の表示位置を決定する演算の精度に応じて、フォーカス指標指示線６１の表示幅を変更する対応をとることも可能である。
【００３０】
これにより、本実施例におけるレンズ装置は撮影状況の温度状態が変化しても、温度状態の変化を反映した操作指標値を視認しながら撮影を行うことが可能である。
【符号の説明】
【００３１】
1  絞り指標指示環、2  絞り指標指示線、3  絞り指標環、4  絞り目盛、
5  操作レバー、10  エクステンダーユニット
【図１】
2017219661.tif 000003
【図２】
2017219661.tif 000004
【図３】
2017219661.tif 000005
【図４】
2017219661.tif 000006
【図５】
2017219661.tif 000007